(57)【要約】【課題】  取付け具を使用することなく梁などの取付け部材への取付けが可能な携帯性、使用性に著しく優れ、しかもレーザー光に対する死角を生じるおそれがない高機能なレーザー墨出し装置を提供する。【解決手段】  レーザーユニット１０を内蔵し正面側へレーザー光を照射するレーザー照射部Ａの上に、取付け用の固定部Ｂが回動可能に且つ一体的に連結されている。固定部Ｂは、レーザー照射部Ａの上端側から上方へ延出した掛け止め用の逆Ｌ字状フック７０を有しており、その垂直部７１の内側に固定用の下部磁石７３を装備し、レーザー照射部Ａの上面に沿って延在する水平部７２の上面側にも固定用の上部磁石７４を装備している。【選択図】  図２
2014102203.tif 000002
【特許請求の範囲】
【請求項１】
レーザーユニットを内蔵し正面側へレーザー光を照射するレーザー照射部と、レーザー照射部の上端側から上方へ逆Ｌ字状のフックが、その水平部がレーザー照射部の上面に沿うように延出すると共に、当該フックの垂直部内側に固定用磁石が取付けられた、レーザー照射部と一体の固定部とを有し、前記レーザー照射部がその上の固定部に対して周方向に回動自在に連結されているレーザー墨出し装置。
【請求項２】
請求項１に記載のレーザー墨出し装置において、逆Ｌ状フックの垂直部内側に加えて水平部の上面側に固定用磁石が取付けられているレーザー墨出し装置。
【請求項３】
請求項１又は２に記載のレーザー墨出し装置において、逆Ｌ状フックの垂直部は、その下方に連結されるレーザー照射部の電源収納部を兼ねるレーザー墨出し装置。
【発明の詳細な説明】
【技術分野】
【０００１】
本発明は、建築分野における水平レベルの墨出しに使用されるレーザー墨出し装置に関し、より詳しくは設置、取扱いが容易で、なおかつ構造が簡単なレーザー墨出し装置に関する。
【背景技術】
【０００２】
建造物の天井施工を行う場合、母材となるチャンネルを水平に設置する必要がある。近年、事務所や店舗に使用される鉄筋コンクリート造りや鉄骨造りの建物の施工では、間仕切り天井施工に軽量鉄骨と呼ばれる軽い金属の材料を用いて、その施工を行うことが多い。その方法としては、床面から施工したい天井までの距離を測り、水平器などを用いて水糸と呼ばれる細い糸を水平に張り、水平レベルの墨出しを行う。しかし、この方法では、距離が長くなると中間地点で糸が垂れ下がるため、正確な墨出し、施工が難しい。
【０００３】
この問題を解決するため、現在では直進性に優れたレーザー光を使用するレーザー墨出し装置が多用されている。レーザー墨出し装置は水平維持機能を有するレーザーユニットを内蔵しており、その基本的な使い方は次のとおりである。墨出し装置を三脚などの固定具上に固定する。墨出し装置下部の取付け部はその上の本体部に対して周方向へ３６０度回転可能であり、墨出し装置下部の取付け部を固定具上に固定した状態で、取付け部より上の本体部を水平方向に３６０度回転させる。これにより水平レベルの墨出しが簡単かつ正確に行われる。
【０００４】
しかしながら、これまでのレーザー墨出し装置で作業を行うには、三脚などの固定具を床面上に設置する必要がある。このため、天井の施工の際には、かなり高いところまで延びる三脚や大型の三脚が必要になる。そのような三脚は、測定者が乗る踏み台の邪魔になるばかりか、通行人が脚を引っ掛ける事故が後を絶たず、問題が多い。
【０００５】
このような問題を解決することを目的として、レーザー墨出し装置を柱や梁に取付けるためのアダプタと呼ばれる各種の取付け具が提案され市販されている。従来のこの種の取付け具は、特許文献１に示すように、柱や梁などに固定して使用され、三脚と同様にその上にレーザー墨出し装置を固定する台座タイプと、特許文献２に示すように、梁や軽天と呼ばれる天井用軽量鉄骨などの水平部材に引っ掛けて使用され、引っ掛け部から下に延びるＬ状固定部材の水平部上にレーザー墨出し装置を固定する引っ掛けタイプとに大別される。
【０００６】
いずれの取付け具の場合も、墨出し装置とは別に携帯することが必要であり、煩わしさを避け得ない。しかも、取付け具を柱や梁に取付けるのにネジ締めなどの操作が必要であり、特に天井を施工する際は梁などの取付け部材が高い位置にあるので、無理な姿勢や作業台の使用を強いられ、取付け作業に手間がかかる。しかも、その取付け具に墨出し装置を取付けなければならず、二重の手間がかかる。
【０００７】
これに加えて、台座タイプの取付け具を柱に取付けた場合、柱がレーザー光を遮るので、全周照射が不可能であり、照射範囲に死角ができるのを避け得ない。引っ掛けタイプの取付け具を使用した場合も、Ｌ状固定部材の垂直部が同様にレーザー光を遮り、同様の問題を生じる。
【０００８】
また、台座タイプにしろ引っ掛けタイプにしろ、取付け具は墨出し装置のメーカーが自社専用品として販売していることが多く、汎用性に欠けるため、他社の墨出し装置に使用できないという制約がある。
【先行技術文献】
【特許文献】
【０００９】
【特許文献１】特許第４２５７７２９号公報
【特許文献２】特開２００４−２１９３８１号公報
【発明の概要】
【発明が解決しようとする課題】
【００１０】
本発明の目的は、取付け具を使用することなく梁などの取付け部材への取付けが可能な携帯性、使用性に著しく優れ、しかもレーザー光に対する死角を生じるおそれがない高機能なレーザー墨出し装置を提供することにある。
【課題を解決するための手段】
【００１１】
上記目的を達成するために、本発明のレーザー墨出し装置は、レーザーユニットを内蔵し正面側へレーザー光を照射するレーザー照射部と、レーザー照射部の上端側から上方へ逆Ｌ字状のフックが、その水平部がレーザー照射部の上面に沿うように延出すると共に、当該フックの垂直部内側に固定用磁石が取付けられた、レーザー照射部と一体の固定部とを有し、前記レーザー照射部がその上の固定部に対して周方向に回動自在に連結されていることを技術上の特徴点としている。
【００１２】
本発明のレーザー墨出し装置を使用するには、固定部における逆Ｌ状のフックを梁や軽天と呼ばれる天井用軽量鉄骨などの水平部材に引っ掛ける。そうすると、逆Ｌ状のフックにおいて直角に交差する水平部と垂直部とで墨出し装置が水平部材に位置決めされ、垂直部内側に取付けられた固定用磁石により、その水平部材に懸吊状態で固定される。すなわち、本発明のレーザー墨出し装置は、梁や軽天と呼ばれる天井用軽量鉄骨などの水平部材にワンタッチ操作で簡単に懸吊固定されるのである。
【００１３】
そして、この状態で固定部の下のレーザー照射部を周方向に回動させることにより、レーザー光による水平墨出しが行われる。このとき、固定部の下のレーザー照射部の周囲にレーザー光を遮る遮蔽物がないので、死角を生じない。
【００１４】
固定用磁石に関しては、固定のために逆Ｌ状フックの少なくとも垂直部内側に取付けるのを必須とするが、これに加えて水平部の外側、すなわち上面側に取付けてもよい。水平部の上面側に取付けた固定用磁石は、梁や軽天と呼ばれる天井用軽量鉄骨などの水平部材の下面に直接吸着するので、水平部材に逆Ｌ状フックを引っ掛けずとも、水平部材への中着固定が可能となる。
【００１５】
逆Ｌ状フックの垂直部は、下方に連結されるレーザー照射部の電源収納部としても利用可能であり、これによりレーザー照射部の小型化、更には装置全体の小型化を図ることができる。
【発明の効果】
【００１６】
本発明のレーザー墨出し装置は、第１に、レーザーユニットを内蔵するレーザー照射部の上方に、逆Ｌ状フックをもつ固定部を一体的に備えているので、三脚などの固定具を携帯する必要がなく、携帯性に優れる。また、コスト面でも有利である。第２に、その固定部によりレーザー照射部が梁などの水平部材に懸吊支持されるので、レーザー照射部を周方向に回転させたときにも、レーザー光を遮る障害物がなく、施工の妨げとなることがない。したがって正確かつ迅速な墨出し作業が可能となる。第３に、固定に磁石を使用するので、ネジ締めなどの煩わしい固定作業が不要であり、ワンタッチで簡単に梁などの水平部材への固定が可能である。したがって操作性、更には作業上の安全性にも優れる。
【図面の簡単な説明】
【００１７】
【図１】本発明の一実施形態を示すレーザー墨出し装置の３面図で、（ａ）は正面図、（ｂ）は平面図、（ｃ）は側面図である。
【図２】同レーザー墨出し装置の内部構造及び使用状態を示す２面図で、（ａ）は縦断正面図、（ｂ）は縦断側面図である。
【図３】同レーザー墨出し装置が傾斜して使用された場合の使用状態を示す縦断正面図である。
【図４】同レーザー墨出し装置の別の使用状態を示す２面図で、（ａ）は縦断正面図、（ｂ）は縦断側面図である。
【発明を実施するための形態】
【００１８】
以下に本発明の実施形態を図面に基づいて説明する。
【００１９】
本実施形態のレーザー墨出し装置は、図１及び図２に示すように、円筒形状のレーザー照射部Ａと、レーザー照射部Ａを梁などの水平部材に固定するために、レーザー照射部Ａの上に一体的に連結された固定部Ｂとからなる。レーザー照射部Ａは、正面側へレーザー光を照射するレーザーユニット１０と、レーザーユニット１０を水平に維持するためのジャイロユニット２０とを円筒形状のカバー３０内に内蔵した構成となっている。
【００２０】
レーザーユニット１０は、レーザー発生装置１１、その前方に配置された光学非球面レンズ１２、その更に前方に配置されたロッドレンズ１３などを備えており、これらにより横方向に約１２０°広がった水平なレーザー光を正面側へ照射する。
【００２１】
ジャイロユニット２０は、レーザー照射部Ａの傾きに関係なくレーザーユニット１０及びこれから照射されるレーザー光を水平に維持するために、当該レーザーユニット１０を上端側で周囲全方向へ傾動自在に懸吊支持する。レーザーユニット２０の揺れを止めるために、その下端側には銅製の錘４０が連結されると共に、その更に下方に制動用磁石５０が装備され、更に環状のゴムダンパー４１が銅製の錘４０に、同じく環状の揺れ止め金具５１が制動用磁石５０の周囲にそれぞれ設けられている。
【００２２】
円筒形状のカバー３０には、レーザー光の外部照射のために横長のスリット３１が、レーザーユニット２０の正面側に位置して設けられている。カバー３０の上端は円板状の天板３２により、また下端は同じく円板状の底板３３によりそれぞれ閉塞されている。底板３３は前述した制動用磁石５０及び揺れ止め金具５１などの支持部材を兼ねており、その上面上に制動用磁石５０及び揺れ止め金具５１などを支持している。
【００２３】
一方、天板３２は上方の固定部Ｂとの連結部材を兼ねており、その詳細は固定部Ｂの構造と共に後述する。
【００２４】
固定部Ｂは、円筒形状のレーザー照射部Ａの上面に重ねられる円板状のベース６０と、ベース６０の外周縁の一部から上方へ延出した逆Ｌ状のフック７０とからなる。フック７０における垂直部７１の内面と水平部７２の内面（下面）は、直交したフラット面である。垂直部７１の内面には固定用の下部磁石７３が埋設されている。垂直部７１の外面は、レーザー照射部Ａの外面に対応する円弧面であり、その内部にはレーザー照射部Ａの駆動用電源としての電池（図示せず）が収容されるようになっており、下方のレーザー照射部Ａとは図示されないコード或いはブラシなどにより電気的に接続されている。
【００２５】
フック７０の水平部７２はレーザー照射部Ａの外形に対応する円板状であり、その外面（上面）の中心部には固定用の上部磁石７４が埋設されている。垂直部７１及び水平部７２には、ネジなどによる取付けのための複数の取付け孔７５が、下部磁石７３及び上部磁石７４を取り囲むように設けられている。
【００２６】
固定部Ｂのベース６０は、下のレーザー照射部Ａとの連結部材を兼ねており、具体的には、レーザー照射部Ａにおいて固定部Ｂとの連結部材を兼ねる天板３２との間が、連結軸８０により同心状に且つ回動自在に連結されている。この連結のために、連結軸８０は、ベース６０及び天板３２の各中心部にそれぞれ係合するフランジ部８１，８２を両端側に有している。
【００２７】
次に、本実施形態のレーザー墨出し装置の使用方法及び機能について図２〜図４を参照して説明する。
【００２８】
通常は図２に示すように、当該レーザー墨出し装置における固定部Ｂのフック７０を梁や軽天と呼ばれる天井用軽量鉄骨などの水平部材９０に引っ掛ける。具体的には、フック７０の水平部７２を水平部材９０に引っ掛ける。そうすると垂直部７２に埋設された固定用の下部磁石７３が水平部材９０の側面に吸着し、水平部材９０の上面及び側面に水平部７２及び垂直部７１の各内面がそれぞれ密着することにより、水平部材９０の所望位置に垂直姿勢で懸吊固定される。
【００２９】
この状態でレーザー照射部Ａを作動させ、水平方向に約１２０°広がったレーザー光をカバー３０のスリット３１から照射した状態で、そのレーザー照射部Ａを左右に１２０°以上回動させる。これにより周囲全体にわたって水平レベルの墨出しが行われる。
【００３０】
このとき、レーザー墨出し装置を固定する水平部材９０が傾斜していても、図３に示すように、カバー３０内でレーザーユニット１０がジャイロユニット２０により、水平部材９０の傾斜を相殺するように傾斜することにより、レーザー照射部Ａから照射されるレーザー光は水平状態を維持する。
【００３１】
固定部Ｂのフック７０を固定しようとする水平部材９０が引っ掛けに寸法的に不適な場合、或いは水平部材９０への引っ掛け操作が高さ的に不可能な場合は、図４に示すように、フック７０における水平部７２の上面を水平部材９０の下面に直接押し付ける。そうすると、水平部７２の上面に埋設された上部磁石７４により水平部７２の上面が水平部材９０の下面に吸着され、引っ掛けの場合と同様にレーザー墨出し装置が水平部材９０に懸吊固定される。
【００３２】
この状態でレーザー照射部Ａを作動させ、左右に１２０°以上回動させることにより、同様にレーザー光による水平レベルの墨出しが行われる。
【００３３】
このように、本実施形態のレーザー墨出し装置は、アダプタと呼ばれる取付け具を使用することなく、ワンタッチ操作による二通りの懸吊取付けが可能であり、操作性、機能性に著しく優れる。また、取付け具の他に、三脚などの架台の携帯も不要となるので、携帯性に優れ、持ち運びが容易となる。
【符号の説明】
【００３４】
Ａ  レーザー照射部
Ｂ  固定部
１０  レーザーユニット
１１  レーザー発生装置
１２  光学非球面レンズ
１３  ロッドレンズ
２０  ジャイロユニット
３０  カバー
３１  スリット
３２  天板
３３  底板
４０  錘
４１  ゴムダンパー
５０  制動用磁石
５１  振れ止め金具
６０  ベース
７０  フック
７１  垂直部
７２  水平部
７３  固定用の下部磁石
７４  固定用の上部磁石
７５  取付け孔
８０  連結軸
８１，８２  フランジ部
９０  水平部材
【図１】
2014102203.tif 000003
【図２】
2014102203.tif 000004
【図３】
2014102203.tif 000005
【図４】
2014102203.tif 000006